(57)【要約】      （修正有）【課題】ファン付衣服の外側の電源装置と、ファン付衣服の内側に設けられるファンの接続端子とを接続する電源ケーブルの引き回しが容易で、ファン付衣服を貫通し、電源ケーブルが挿通される貫通穴がファン付衣服の外側から露出せず、見栄えが良いファン付衣服を提供する。【解決手段】ファン付衣服１の内側に外気を導入するファン２ａ，２ｂと、ファン付衣服１の外側に設けられ、ファン２ａ，２ｂを駆動する電源装置３が収容可能なポケット４と、ファン付衣服１を貫通し、ポケット４内に収容される電源装置３と、ファン付衣服１の内側に設けられるファン２ａ，２ｂの接続端子とを接続する電源ケーブル６を挿通可能な貫通穴５と、を有し、貫通穴５は、ポケット４のポケット布４ａにより覆われていることを特徴とする。【選択図】図１
0003219718.tif 000002
【実用新案登録請求の範囲】
【請求項１】
ファン付衣服の内側に外気を導入するファンと、
前記ファン付衣服の外側に設けられ、前記ファンを駆動する電源装置が収容可能なポケットと、
前記ファン付衣服を貫通し、前記ポケット内に収容される前記電源装置と、前記ファン付衣服の内側に設けられる前記ファンの接続端子とを接続する電源ケーブルを挿通可能な貫通穴と、
を有し、
前記貫通穴は、前記ポケットのポケット布により覆われていることを特徴とするファン付衣服。
【請求項２】
前記ポケットは、前記ファン付衣服の左右脇部の少なくともいずれかに設けられたことを特徴とする請求項1に記載のファン付衣服。
【請求項３】
前記ポケット布は、厚さが０．５ｍｍ以下の薄地で構成され、前記ポケット内に収容される前記電源装置のスイッチを前記ポケット布の外側から操作可能に構成されることを特徴とする請求項１または請求項２に記載のファン付衣服。
【請求項４】
前記ポケット布は、厚さが０．５ｍｍ以下の薄地で構成され、前記ポケット内に収容される前記電源装置の表示光を透過して前記ポケット布の外側から視認可能に構成されることを特徴とする請求項１または請求項２に記載のファン付衣服。
【請求項５】
前記ポケット布は、前記ポケット内に収容される前記電源装置のスイッチが対応する位置に透明又は半透明の窓が設けられたことを特徴とする請求項１〜４のいずれか１項に記載のファン付衣服。
【考案の詳細な説明】
【技術分野】
【０００１】
本考案は、衣服の内側に空気の流れを発生させることにより体を空冷するファン付衣服に関するものである。
【背景技術】
【０００２】
鉄工所や夏の屋外の工事現場などの高温環境下で作業する場合は、体温の上昇を抑制する必要があるため特許文献１のようなファン付衣服が提案されている。特許文献１のファン付衣服は、外気を導入するファンと、ファンを駆動する電源装置と、ファンと電源装置とを接続する電源ケーブルが設けられている。
【０００３】
ファン付衣服の外側に設けた電源収納ポケット内に電源装置が収容され、電源装置に接続された電源ケーブルがファン付衣服の空気案内手段を貫通するケーブル用孔を通して空気案内手段の内側のファンに接続される。これによりファン付衣服の外側の電源装置と、ファン付衣服の内側に設けられるファンの接続端子とを接続する電源ケーブルの引き回しが容易である。
【先行技術文献】
【特許文献】
【０００４】
【特許文献１】国際公開第２０１６／０７１９６６号公報
【考案の概要】
【考案が解決しようとする課題】
【０００５】
しかしながら、特許文献１では、ファン付衣服の外側にケーブル用孔が露出しているため見栄えが悪いといった課題があった。
【０００６】
本考案は前記課題を解決するものであり、その目的とするところは、ファン付衣服の外側の電源装置と、ファン付衣服の内側に設けられるファンの接続端子とを接続する電源ケーブルの引き回しが容易で、ファン付衣服を貫通し、電源ケーブルが挿通される貫通穴がファン付衣服の外側から露出せず、見栄えが良いファン付衣服を提供せんとするものである。
【課題を解決するための手段】
【０００７】
前記目的を達成するための本考案に係るファン付衣服の代表的な構成は、ファン付衣服の内側に外気を導入するファンと、前記ファン付衣服の外側に設けられ、前記ファンを駆動する電源装置が収容可能なポケットと、前記ファン付衣服を貫通し、前記ポケット内に収容される前記電源装置と、前記ファン付衣服の内側に設けられる前記ファンの接続端子とを接続する電源ケーブルを挿通可能な貫通穴と、を有し、前記貫通穴は、前記ポケットのポケット布により覆われていることを特徴とする。
【考案の効果】
【０００８】
本考案によれば、ファン付衣服の外側の電源装置と、ファン付衣服の内側に設けられるファンの接続端子とを接続する電源ケーブルの引き回しが容易で、ファン付衣服を貫通し、電源ケーブルが挿通される貫通穴がファン付衣服の外側から露出せず、見栄えが良いファン付衣服を提供することが出来る。
【図面の簡単な説明】
【０００９】
【図１】本考案に係るファン付衣服の構成を示す正面図である。
【図２】本考案に係るファン付衣服の内側の構成を示す図である。
【図３】（ａ）は、ファン付衣服の左脇外側に設けられるポケット布に窓が設けられた場合をファン付衣服の外側から見た斜視図である。（ｂ）は、ファン付衣服の左脇外側に設けられるポケット布に窓が無い場合をファン付衣服の外側から見た斜視図である。
【考案を実施するための形態】
【００１０】
図により本考案に係るファン付衣服の一実施形態を具体的に説明する。
【００１１】
図１に示すファン付衣服１は、鉄工所や夏の屋外の工事現場などの高温環境下で作業する際に、体温の上昇を抑制するための作業服として用いることができる。ファン付衣服１の背面側には、ファン付衣服１の内側に外気を導入する２個のファン２ａ，２ｂが設けられている。ファン２ａ，２ｂは、ファン付衣服１を貫通する図示しない貫通穴にそれぞれ挿通して設けられる。ファン付衣服１の外側には、ファン２ａ，２ｂを駆動する電源装置３が収容可能なポケット４が設けられている。
【００１２】
ファン付衣服１には、ファン付衣服１を貫通する貫通穴５が設けられている。貫通穴５は、ポケット４内に収容される電源装置３と、ファン付衣服１の内側に設けられるファン２ａ，２ｂのそれぞれの接続端子２ａ１，２ｂ１とを接続する電源ケーブル６が挿通可能である。図２に示す電源ケーブル６は、ファン２ａの接続端子２ａ１に接続される電源ケーブル６ａと、ファン２ｂの接続端子２ｂ１に接続される電源ケーブル６ｂとに分岐している。電源ケーブル６ｂは、ファン付衣服１の内側に設けられる面ファスナー８により着脱可能に支持される。
【００１３】
電源ケーブル６は、ファン付衣服１の内側で引き回されるため作業中に電源ケーブル６が周囲の何かに引っかかる等の懸念が無い。また、ファン２ａ，２ｂの作動時に発熱する電源装置３がファン付衣服１の外側で左右脇部の少なくとも何れかに設けられたポケット４内に収容されるためファン付衣服１の内側が昇温しにくくなる。
【００１４】
図３（ａ）に示すように、ポケット４のポケット布４ａの上部は、面ファスナー７によりファン付衣服１の外側に着脱可能に留めることができる。図１に示すように、ポケット布４ａにより電源ケーブル６が挿通される貫通穴５を覆うことができる。
【００１５】
ポケット布４ａは、厚さが０．５ｍｍ以下の薄地で構成されている。これにより図３（ｂ）に示すようにポケット４内に収容される電源装置３のＬＥＤ（Light Emitting Diode；発光ダイオード）９の表示光を透過してポケット布４ａの外側から視認可能である。また、ポケット４内に収容される電源装置３のスイッチ３ａをポケット布４ａの外側から操作可能に構成される。
【００１６】
また、図１及び図３（ａ）に示すポケット布４ａは、ポケット４内に収容される電源装置３のスイッチ３ａが対応する位置に透明又は半透明の窓４ａ１を設けることができる。これによりポケット４内に収容される電源装置３のスイッチ３ａやＬＥＤ３ｂが窓４ａ１から視認し易いため電源装置３のＬＥＤ３ｂの表示光を確認してスイッチ３ａをポケット布４ａの外側から容易に操作できる。窓４ａ１は、貫通穴５の位置からずれた位置に設けられている。このため貫通穴５が透明又は半透明の窓４ａ１から露出することがなく見栄えが良い。
【００１７】
これによりファン付衣服１の外側のポケット４内に収容される電源装置３と、ファン付衣服１の内側に設けられるファン２ａ，２ｂの接続端子２ａ１，２ｂ１とを接続する電源ケーブル６の引き回しが容易で、ファン付衣服１を貫通し、電源ケーブル６が挿通される貫通穴５がファン付衣服１の外側から露出せず、見栄えが良いファン付衣服１を提供することが出来る。尚、本実施形態では、ファン付衣服１として上着の一例について説明したが、ズボン等の内側に空気の流れを発生させることにより体を空冷するファン付衣服にも適用できる。
【産業上の利用可能性】
【００１８】
本考案の活用例として、衣服の内側に空気の流れを発生させることにより体を空冷するファン付衣服に適用できる。
【符号の説明】
【００１９】
１…ファン付衣服
２ａ，２ｂ…ファン
２ａ１，２ｂ１…接続端子
３…電源装置
３ａ…スイッチ
３ｂ…ＬＥＤ
４…ポケット
４ａ…ポケット布
４ａ１…窓
５…貫通穴
６，６ａ，６ｂ…電源ケーブル
７，８…面ファスナー
【図１】
0003219718.tif 000003
【図２】
0003219718.tif 000004
【図３】
0003219718.tif 000005